(57)【特許請求の範囲】
【請求項１】
本体と照明具とロールスクリーンと取付材とを備え、本体は、取付材の下面の前側より垂下して設けた照明取付枠の内部に照明具取付空間を有し、後側にロールスクリーン取付空間を有し、照明具は、照明具取付空間に取付けてあり、ロールスクリーンは、ロールスクリーン取付空間に取付けてあり、引き出したロールスクリーンの表面を照明具で照らすことを特徴とする外照式サイン。
【請求項２】
本体と照明具と取付材とを備え、本体は、取付材の下面の前側より垂下して設けた照明取付枠の内部に照明具取付空間を有し、後側にスクリーン取付部を有し、照明具は、照明具取付空間に取付けてあり、スクリーン取付部に取付けたスクリーンを照らすものであり、取付材は、軒天取付部と壁面取付部を有し、軒天又は壁面に取付けた取付材に本体を係合して取付けてあることを特徴とする外照式サイン。
【請求項３】
本体と照明具と取付材とを備え、本体は、取付材の下面の前側より垂下して設けた照明取付枠の内部に照明具取付空間を有し、後側にスクリーン取付部を有し、照明具は、照明具取付空間に取付けてあり、スクリーン取付部に取付けたスクリーンを照らすものであり、スクリーン取付部はスクリーンを取付け自在であり、取付材に本体を着脱自在に設けてあることを特徴とする外照式サイン。
【発明の詳細な説明】
【技術分野】
【０００１】
本発明は、サインを外側から照らす外照式サインに関する。
【背景技術】
【０００２】
従来より、広告等のサインの上部にＬＥＤを内蔵した照明装置を設置し、サインの表面を上から照らす外照式サインがあった（例えば、特許文献１参照）。広告等のサインは、短い期間で交換することも少なくないが、従来のものはサインが四周枠組みわれた枠に幕を張ったパネル体で構成され、該パネル体をアンカーボルト等で躯体に固定していたため、取外したり交換したりするのが容易ではなかった。
【先行技術文献】
【特許文献】
【０００３】
【特許文献１】特開２０１３−６５００７号公報
【発明の概要】
【発明が解決しようとする課題】
【０００４】
本発明は以上に述べた実情に鑑み、設置やサインの交換等が簡便に行え、施工性や使い勝手の良い外照式サインの提供を目的とする。
【課題を解決するための手段】
【０００５】
上記の課題を達成するために請求項１記載の発明による外照式サインは、本体と照明具とロールスクリーンと取付材とを備え、本体は、取付材の下面の前側より垂下して設けた照明取付枠の内部に照明具取付空間を有し、後側にロールスクリーン取付空間を有し、照明具は、照明具取付空間に取付けてあり、ロールスクリーンは、ロールスクリーン取付空間に取付けてあり、引き出したロールスクリーンの表面を照明具で照らすことを特徴とする。
【０００６】
請求項２記載の発明による外照式サインは、本体と照明具と取付材とを備え、本体は、取付材の下面の前側より垂下して設けた照明取付枠の内部に照明具取付空間を有し、後側にスクリーン取付部を有し、照明具は、照明具取付空間に取付けてあり、スクリーン取付部に取付けたスクリーンを照らすものであり、取付材は、軒天取付部と壁面取付部を有し、軒天又は壁面に取付けた取付材に本体を係合して取付けてあることを特徴とする。
【０００７】
請求項３記載の発明による外照式サインは、本体と照明具と取付材とを備え、本体は、取付材の下面の前側より垂下して設けた照明取付枠の内部に照明具取付空間を有し、後側にスクリーン取付部を有し、照明具は、照明具取付空間に取付けてあり、スクリーン取付部に取付けたスクリーンを照らすものであり、スクリーン取付部はスクリーンを取付け自在であり、取付材に本体を着脱自在に設けてあることを特徴とする。
【発明の効果】
【０００８】
請求項１記載の発明による外照式サインは、本体と照明具とロールスクリーンと取付材とを備え、本体は、取付材の下面の前側より垂下して設けた照明取付枠の内部に照明具取付空間を有し、後側にロールスクリーン取付空間を有し、照明具は、照明具取付空間に取付けてあり、ロールスクリーンは、ロールスクリーン取付空間に取付けてあり、引き出したロールスクリーンの表面を照明具で照らす構成により、サイン用のパネル体を別途設置する必要がなく、軽量・コンパクトにでき、施工性が良い。また、使用しないときにはスクリーンを巻き取って本体内に収納できるので、便利である。
【０００９】
請求項２記載の発明による外照式サインは、本体と照明具と取付材とを備え、本体は、取付材の下面の前側より垂下して設けた照明取付枠の内部に照明具取付空間を有し、後側にスクリーン取付部を有し、照明具は、照明具取付空間に取付けてあり、スクリーン取付部に取付けたスクリーンを照らすものであり、取付材は、軒天取付部と壁面取付部を有し、軒天又は壁面に取付けた取付材に本体を係合して取付けてあるので、軒天と壁面のどちらにでも設置することができ、尚且つ何れの場合でも取付けが容易である。
【００１０】
請求項３記載の発明による外照式サインは、本体と照明具と取付材とを備え、本体は、取付材の下面の前側より垂下して設けた照明取付枠の内部に照明具取付空間を有し、後側にスクリーン取付部を有し、照明具は、照明具取付空間に取付けてあり、スクリーン取付部に取付けたスクリーンを照らすものであり、スクリーン取付部はスクリーンを取付け自在であり、取付材に本体を着脱自在に設けてあるので、本体を取外して照明具等のメンテナンスが容易に行え、またスクリーンの交換も容易に行える。
【図面の簡単な説明】
【００１１】
【図１】本発明の一実施形態に係る外照式サインの縦断面図であって、壁面に設置した場合を示す。
【図２】同外照式サインの縦断面図であって、ロールスクリーンを引き出して照明を当てた状態を示す。
【図３】同外照式サインの使用状態を示す斜視図である。
【図４】同外照式サインを壁面に取付ける際の手順を示す縦断面図である。
【図５】本発明の一実施形態に係る外照式サインの縦断面図であって、スクリーン取付部にタペストリータイプのスクリーンを引っ掛けるためのフックを取付けた場合を示す。
【図６】同外照式サインの一部を切り欠いた状態で示す斜視図であって、フックにタペストリータイプのスクリーンを引っ掛けて取付けた状態を示す。
【図７】本発明の一実施形態に係る外照式サインの縦断面図であって、軒天に設置した場合を示す。
【発明を実施するための形態】
【００１２】
以下、本発明の実施の形態を図面に基づいて説明する。図１〜４は、本発明の外照式サインの一実施形態を示している。本外照式サインは、図１，２に示すように、照明具２とロールスクリーン３を内蔵し、ロールスクリーン３は表面に広告等のための絵や文字等が印刷してあり、引き出したロールスクリーン３の表面を照明具２の光１０で照らすものである。
【００１３】
本外照式サインは、ビルの壁面１１等に取付けられる取付材６と、取付材６に対して前方から着脱自在に設けた本体１とを有し、さらに本体１は照明取付枠１２とスクリーン取付枠１３とに分割して構成されている。本体１と取付材６は、アルミ形材で形成してある。本外照式サインの長手方向の両端部には、図３に示すように、側面カバー１４が着脱自在に取付けてあり、側方からの雨水の浸入を防いでいる。
【００１４】
本体１の前側に設けられる照明取付枠１２は、図１に示すように、照明具取付空間４を構成する照明収納枠１５と、照明具２に電気を供給するための電源１６を収納する電源収納枠１７とに分割して構成されている。
照明収納枠１５は、下面が開放した略コ字形に形成され、その内部の前寄りの天面に照明具２としてのＬＥＤが取付けてある。ＬＥＤ２は、光の中心軸を鉛直方向に対して後方に傾けて光を拡散して照射し（図２参照）、上下方向で約３メートルの広い範囲に光を照射できるものとなっている。またＬＥＤ２は、照明収納枠１５の長手方向に間隔をおいて複数取付けてある。照明収納枠１５の下面の開放部は、透明な樹脂製の透光カバー１８を取付けて塞いである。透光カバー１８は、前後の縁部が照明収納枠１５の開放縁部に形成された溝１９，１９に保持されており、側面カバー１４を取外した状態で長手方向にスライドさせて着脱できるようになっている。照明収納枠１５には、板状のねじ止め部２０が後方に突出して設けてあり、そのねじ止め部２０をスクリーン取付枠１３の前端部に設けた連結部２１に載置し、上方からねじ２２で固定してある。
電源収納枠１７は、前壁２３と上壁２４とを有する略Ｌ字形に形成されており、上壁２４のほぼ後ろ半分をスクリーン取付枠１３の上壁２５上に重ね、下方からのねじ２６で固定してある。スクリーン取付枠１３の上壁２５上には、前側が開放した溝状の係止部２７を有し、その係止部２７に電源収納枠１７の上壁２４の後端部が係止している。電源収納枠１７の上壁２４は、前部が高くなるように階段状に形成され、その高くなった上壁２４の前部には、後側が開放する溝状の係合部２８を有し、そのさらに前方に斜め前方に突出する板状のねじ止め部２９を有している。前壁２３の下端部には、照明収納枠１５の前部を受ける受け部３０を有している。
【００１５】
本体１の後側に設けられるスクリーン取付枠１３は、図１に示すように、前壁３１と上壁２５と後壁３２とを有する略コ字形に形成され、下側が開放したロールスクリーン取付空間５を構成している。前壁３１は、前面に電源１６が取付けてある。上壁２５の下面と後壁３２の前面には、鉤状の爪を対向設置してなるスクリーン取付部７ａ，７ｂが設けてある。この２箇所のスクリーン取付部７ａ，７ｂに係止して左右２箇所にロールスクリーン取付用のブラケット３３を取付け、左右のブラケット３３間にロールスクリーン３の軸３４を架設することで、ロールスクリーン取付空間５内にロールスクリーン３を収納して取付けている。図１は、ロールスクリーン３を最大限巻き取った状態を示しており、このときにロールスクリーン３は、スクリーン下端の軸３５の部分も含めて、本体１からはみ出さないようになっている。
さらにスクリーン取付枠１３は、後壁３２の前記スクリーン取付部７ｂの奥側に、前側が開口したリップ溝形のスクリーン取付部７ｃをさらに有している。このスクリーン取付部７ｃは、後述するように、タペストリータイプのスクリーン３６を取付ける際に利用される。
【００１６】
取付材６は、図１に示すように、上壁８と後壁９とを有する略Ｌ字形に形成され、後壁９を壁面１１にアンカーボルト３９で固定してある。後壁９には、本体１の後面の上部と下部が当接する当接部４０，４１が前方に突出して設けてあり、下側の当接部４１には前方からのねじを受けるねじ受け部４２と、本体１の後壁３２の下縁を載置する載置部４３を有している。そして、本体１の後壁３２を上下の当接部４０，４１に当接すると共に、本体１の後壁３２の下縁を載置部４３で受け、前方からのねじ４４で本体１の後壁３２を取付材６に固定している。取付材６の上壁８には、前部の下面側に前向きのＬ字形の被係合部４５が設けてあり、上壁８の前端部下面側にはねじ受け部４６が設けてある。そして、本体１（電源収納枠１７）の上壁２４に形成された係合部２８を被係合部４５に前方から係合すると共に、本体１の上壁２４に形成されたねじ止め部２９をねじ受け部４６にねじ４７で固定することで、本体１の上壁２４を取付材６に固定している。
取付材６の後壁９の下端部には、下側が開口するリップ溝形のスクリーン取付部７ｄが設けてあり、このスクリーン取付部７ｄにタペストリータイプのスクリーン３６の上部に形成されたパイプ４８を挿入・係止して、タペストリータイプのスクリーン３６を取付けている。タペストリータイプのスクリーン３６は、ロールスクリーン３とは異なる絵や文字等が印刷されている。
【００１７】
次に、本外照式サインを設置する際の手順を説明する。まず、壁面１１の所定の位置に取付材６をあらかじめ取付けておく。次に、照明収納枠１５にＬＥＤ２と透光カバー１８を取付け、照明収納枠１５をスクリーン取付枠１３にねじ２２で取付ける。次に、スクリーン取付枠１３にロールスクリーン３と電源１６を取付け、これに前方から電源収納枠１７を係合し、ねじ２６で固定する。そうして本体１を組み立てたら、図４（ａ）に示すように、あらかじめ取付けておいた取付材６に本体１を前方から係合部２８と被係合部４５とを係合させて取付ける。次に、図４（ｂ）に示すように、本体１の後壁３２を前方からのねじ４４で取付材６に固定すると共に、本体１前部のねじ止め部２９を前方斜め下方からのねじ４７で取付材６に固定する。その後、タペストリータイプのスクリーン３６を取付材６下部のスクリーン取付部７ｄに取付ける。最後に、本体１及び取付材６の側面に側面カバー１４を取付ける。なお、部品を取付ける順番は相前後してもよく、例えば本体１を取付材６に取付けた後にロールスクリーン３を取付けることもできる。
【００１８】
図３（ａ）〜（ｃ）は、本外照式サインの使用状態を示している。図３（ａ）は、ロールスクリーン３を引き出し、ロールスクリーン３を見せている状態を示している。図３（ｂ）は、ロールスクリーン３を巻き上げ、タペストリータイプのスクリーン３６を見せている状態を示している。図３（ｃ）は、ロールスクリーン３を巻き上げ、タペストリータイプのスクリーン３６も取外した状態を示している。このように本外照式サインは、ロールスクリーン３とタペストリータイプのスクリーン３６を同時に取付けたことで、時間帯や季節等に応じて表示するスクリーンを違わせることが容易に行える。また、側面カバー１４を取外せば、ロールスクリーン３やタペストリータイプのスクリーン３６を交換することもできる。さらに、荒天時等に、図３（ｃ）に示すように、スクリーンの無い状態とすることも容易である。
【００１９】
図５，６は、本発明の外照式サインの他の実施形態を示している。本実施形態は、図５に示すように、本体１の後壁３２の奥側に形成されたスクリーン取付部７ｃと、取付材６の下部に形成されたスクリーン取付部７ｄとにフック４９，４９，…を長手方向にスライド自在に取付け、図６に示すように、それらのフック４９，４９，…にタペストリータイプのスクリーン３６の上部に形成した孔５０を引っ掛けるようにして、タペストリータイプのスクリーン３６を取付けている。本実施形態によれば、側面カバー１４を取外すことなく、タペストリータイプのスクリーン３６の取付け・取外しが行える。また、タペストリータイプのスクリーン３６を２枚重ねて取付けできるので、時間帯や季節に応じて表示するスクリーンを違わせることも容易である。フック４９，４９，…が長手方向にスライド自在なので、スクリーン３６の位置を横にずらしたり、不要なときにスクリーン３６をカーテンのように側端部に畳んでまとめておいたりすることができる。
【００２０】
図７は、本発明の外照式サインの他の実施形態であって、軒天５１に設置する場合を示している。この場合には、取付材６の上壁８をアンカーボルト３９で軒天５１に固定し、取付材６に前方から本体１を係合・ねじ止めして取付けている。
【００２１】
以上に述べたように本外照式サインは、本体１と照明具２とロールスクリーン３とを備え、本体１は、下面の前側に照明具取付空間４を有し、後側にロールスクリーン取付空間５を有し、照明具２は、照明具取付空間４に取付けてあり、ロールスクリーン３は、ロールスクリーン取付空間５に取付けてあり、引き出したロールスクリーン３の表面を照明具２で照らす構成により、サイン用のパネル体を別途設置する必要がなく、軽量・コンパクトにでき、施工性が良い。また、使用しないときにはスクリーン３を巻き取って本体１内に収納できるので、便利である。スクリーン３を巻き上げると、本体１からロールスクリーン３がはみ出さないので、意匠性が良い。さらに本外照式サインは、タペストリータイプのスクリーン３６を取付けるためのスクリーン取付部７ｃ，７ｄを、ロールスクリーン取付用のスクリーン取付部７ａ，７ｂとは別に有しており、ロールスクリーン３とタペストリータイプのスクリーン３６を同時に取付けできるので、時間帯や季節等に応じて表示するスクリーンを違わせることが容易に行える。
また本外照式サインは、本体１と照明具２と取付材６とを備え、本体１は、下面の前側に照明具取付空間４を有し、後側にスクリーン取付部７ａ，７ｂ，７ｃを有し、照明具２は、照明具取付空間４に取付けてあり、スクリーン取付部７ａ，７ｂ，７ｃに取付けたスクリーン３，３６を照らすものであり、取付材６は、軒天取付部（上壁８）と壁面取付部（後壁９）を有し、軒天５１又は壁面１１に取付けた取付材６に本体１を係合して取付けてあるので、軒天５１と壁面１１のどちらにでも設置することができ、尚且つ何れの場合でも取付けが容易である。本体１は、取付材６の被係合部４５に前側から係合する係合部２８を有しているので、本体１を取付材６に係合させるのが容易で、且つねじ固定も容易に行える。さらに、取付材６に本体１を載置する載置部４３を有しているので、本体１を取付材６に係合させたときに、本体１を取付材６に安定して取付けできる。
また本外照式サインは、本体１と照明具２と取付材６とを備え、本体１は、下面の前側に照明具取付空間４を有し、後側にスクリーン取付部７ａ，７ｂ，７ｃを有し、照明具２は、照明具取付空間４に取付けてあり、スクリーン取付部７ａ，７ｂ，７ｃに取付けたスクリーン３，３６を照らすものであり、スクリーン取付部７ａ，７ｂ，７ｃはスクリーン３，３６を取付け自在であり、取付材６に本体１を着脱自在に設けてあるので、本体１を取外して照明具２等のメンテナンスが容易に行え、またスクリーン３，３６の交換も容易に行える。さらに、本体１を照明取付枠１２とスクリーン取付枠１３とに分割して構成し、照明取付枠１３はさらに照明収納枠１５と電源収納枠１７とに分割して構成し、それらが互いに着脱自在になっているため、照明具２等のメンテナンスが一層容易に行える。
【００２２】
本発明は以上に述べた実施形態に限定されない。本体１や取付材６の形状、材質等は、適宜変更することができる。取付材６を介さず、本体１を直接壁面１１や軒天５１に取付けるものであってもよい。照明具２やスクリーン３，３６の具体的な構造は任意である。スクリーン取付部７ａ，７ｂ，７ｃ，７ｄの形状、位置、設ける数等は、適宜変更することができる。実施形態では、ロールスクリーン３をロールスクリーン取付空間５内の後側の壁面と天面の２箇所のスクリーン取付部７ａ，７ｂに取付けているが、ブラケット３３の形態によってはどちらか一方のスクリーン取付部７ａ又は７ｂのみにロールスクリーン３を取付けることもできる。スクリーンで構成されるサインの内容は、看板、案内板、標識等、なんでもよい。
【符号の説明】
【００２３】
１  本体
２  ＬＥＤ（照明具）
３  ロールスクリーン
４  照明具取付空間
５  ロールスクリーン取付空間
６  取付材
７ａ，７ｂ，７ｃ，７ｄ  スクリーン取付部
８  上壁（軒天取付部）
９  後壁（壁面取付部）
【図１】
0006577292.tif 000002
【図２】
0006577292.tif 000003
【図３】
0006577292.tif 000004
【図４】
0006577292.tif 000005
【図５】
0006577292.tif 000006
【図６】
0006577292.tif 000007
【図７】
0006577292.tif 000008